(57)【要約】【課題】空気調和機の室外機のオリフィスが一体化した前面パネルと側板をヒンジ部を設けて樹脂で一体化し、オリフィスを作成するための金型のスライド部が側板と干渉することなくスライドできるので、部品点数の削減および組立工数の削減が可能で、大型の金型および大型の成形機が不要な安価な空気調和機の室外機とその製造方法を提供でき、樹脂で一体にしたのでリサイクル時に分別する必要がない空気調和機の室外機を提供する。【解決手段】前面グリル１は前面パネル２とオリフィス５および側板３がヒンジ７を介して一体化しており、前面パネル２と側板３の間ではオリフィス５とは反対の方向にＲ形状をした段差部６を有している。また、格子１１と把手１２が一体化しており、また、段差部６のオリフィス５側に第１の補強８を有し、前面パネル２に第２の補強９、側板３には第３の補強１０を有する構成からなる。【選択図】図１
2005195243.tif 000002
【特許請求の範囲】
【請求項１】
底板と、この底板に対して固定される前面パネル及び側板と、天面を覆い前記前面パネルを側板に対して固定される天板とで外郭を構成される箱状の空気調和機の室外機であって、吹出口とオリフィスを有する前面パネルと隣接する少なくとも一方の側板を折り曲げ可能な、高さ方向のヒンジ部を設けて樹脂で一体にして前面グリルを構成し、前記前面パネルと前記側板を略同一平面方向に展開した状態において前記前面パネルの厚さ方向で前記オリフィスが形成されているのと反対側方向に段差部を有したことを特徴とする空気調和機の室外機。
【請求項２】
前記段差部の形状がＲ形状であることを特徴とした請求項１記載の空気調和機の室外機。
【請求項３】
前記段差部のオリフィス側に高さ方向の肉厚部の補強を有したことを特徴とする請求項１記載の空気調和機の室外機。
【請求項４】
前記前面パネルの前記段差部と反対側に高さ方向で肉厚部の補強を有したことを特徴とする請求項１記載の空気調和機の室外機。
【請求項５】
前記側板の前記段差部と反対側に高さ方向で肉厚部の補強を有したことを特徴とする請求項１記載の空気調和機の室外機。
【請求項６】
前記吹出口に格子部を一体化したことを特徴とする請求項１記載の空気調和機の室外機。
【請求項７】
前記側板に持ち運び用の把手を一体化したことを特徴とする請求項１記載の空気調和機の室外機。
【請求項８】
吹出口とオリフィスを有する前面パネルと隣接する少なくとも一方の側板を折り曲げ可能な高さ方向のヒンジ部を設けて樹脂で一体に構成し、前記前面パネルと前記側板を略同一平面方向に展開した状態において前記前面パネルの厚さ方向で前記オリフィスが取り付いている側と反対方向に段差部を有した前面グリルを樹脂成形する工程と、前記前面グリルをヒンジ部にて略直角に折り曲げを行い空気調和機に取り付けを行う工程を有することを特徴とする空気調和機の室外機の製造方法。
【発明の詳細な説明】
【技術分野】
【０００１】
本発明は、空気調和機の室外機およびその製造方法に関するものであり、詳しくはオリフィスを有する前面パネルと側板を一体にする構造と製造方法を特徴とした空気調和機の室外機に関するものである。
【背景技術】
【０００２】
従来の空気調和機の室外機１６を図８を用いて説明する。図８は空気調和機の室外機１６の構成図であり、同図で示すように室外機１６の外郭は吹出口４にオリフィス５を有する金属板の前面パネル２と樹脂の格子部１１、送風機側の側板３と、圧縮機側の側板１７及び底板１８、天板１９にて箱状に構成されている。また、前面パネル２と格子部１１は爪固定もしくは溶着固定もしくはネジ(図示せず)による締結にて前面グリル１を構成している。上記底板１８上にはファンモーター台２０が配置され、そのファンモーター台２０にはファンモーター２１およびプロペラファン２２がオリフィス５に対応して配置されている。またプロペラファン２２の周辺に熱交換器２３が配置され、プロペラファン２２との反対側部には圧縮機２４が配置されている。
【０００３】
また空気調和機の室外機１６の製造方法として、底板１８に圧縮機２４、熱交換器２３、プロペラファン２２、ファンモーター台２０などの組立を行った後、送風機側の側板３、圧縮機側の側板１７を別々に取り付け、その後に前面グリル１を組立した後に天板１９、把手１２を取り付ける工程を行っている。また、前面グリル１は別の工程で前面パネル２に格子１１を爪固定もしくは溶着固定もしくはネジ（図示せず）による締結にて組み立てる工程が必要である。また、送風機側の側板３、圧縮機側の側板１７、前面パネル２はそれぞれ金属板のプレス工程と曲げ工程にて製作され、格子１１、把手１２はそれぞれ樹脂成形工程にて製作される。
【０００４】
また、前面パネル２とオリフィス５を有するパネル２５をヒンジ部２６を介して樹脂で一体化する構成が知られている。（例えば、特許文献１参照）。
【０００５】
また、前面パネル２と送風機側の側板３および天板１９を樹脂で一体化する構成が知られている。（例えば、特許文献２参照）。
【特許文献１】特開２００１−６５９２６号公報
【特許文献２】特開２００１−６５９２４号公報
【発明の開示】
【発明が解決しようとする課題】
【０００６】
しかしながら、上記従来の空気調和機の室外機１６の構成および製造方法では、外郭を構成する部品が前面パネル２と格子１１、送風機側の側板３、圧縮機側の側板１７、把手１２と部品点数が多いため高価になる課題を有していた。
【０００７】
また、前面パネル２と格子１１、送風機側の側板３、圧縮機側の側板１７、把手１２と部品が多く必要であるため、組立工数が多く必要となる課題を有していた。
【０００８】
また、前面パネル２と送風機側の側板３、圧縮機側の側板１７は金属板で、格子１１と把手１２は樹脂と異材質であるため、リサイクル時には分別する工数が必要となる課題を有していた。
【０００９】
また、特開２００１−６５９２６号公報の形態では前面パネル２とオリフィス５を有す
るパネル２５が同一面の状態で樹脂成形するため、大型の金型が必要であり、また樹脂成形工程における投影面積が大きくなるため、大型の樹脂成形機が必要となる課題を有しており、また、前面パネル２とオリフィス５を有するパネル２５が同一面な部品であるため、部品の保管場所を多く必要であり、また、前面パネル２にオリフィス５を有するパネル２５を組み立てる工程が必要となる課題を有していた。
【００１０】
また、特開２００１−６５９２４号公報の形態では前面パネル２と送風機側の側板３と天板１９が一体で構成しており、オリフィス５を作成するための金型のスライド部が送風機側の側板３と天板１９に干渉しオリフィス５を一体化するのは非常に困難であるため、オリフィス５を有するパネル２５を別部品が必要となり、また、オリフィス５を有するパネル２５を組み立てる工程が必要となる課題を有していた。
【００１１】
本発明は、前記従来の課題を解決するものであり、空気調和機の室外機の構成を吹出口とオリフィスを有する前面パネルと送風機側の側板もしくは圧縮機側の側板の少なくても一方の側板を折り曲げ可能な高さ方向のヒンジ部を設けて樹脂で一体にした前面グリルの構成にし、前面パネルと側板を略同一平面方向に展開した状態において前面パネルの厚さ方向でオリフィスが取り付いている側と反対方向に段差部を有する形態にすることにより、オリフィスを作成するための金型のスライド部が側板と干渉することなくスライドできるのでオリフィスが配置された前面パネルと側板を一体して作成することが可能となることにより、大型の金型および大型の成形機が不要となり、また部品の保管場所を多くとる必要がなく、またオリフィスを前面パネルに組み立てる必要がないので組立工数を削減でき、また部品点数を削減できるので安価な空気調和機の室外機を提供することができる。また複数の部品を一体にして樹脂成形工程後に組立を行うので組立工数を削減できる空気調和機の室外機の製造方法を提供することができ、また、樹脂で一体にしたのでリサイクル時に分別する必要がない空気調和機の室外機を提供することを目的とする。
【課題を解決するための手段】
【００１２】
前記従来の課題を解決するために、本発明の空気調和機の室外機は、吹出口とオリフィスを有する前面パネルと隣接する少なくとも一方の側板を折り曲げ可能な高さ方向のヒンジ部を設けて樹脂で一体にした前面グリルの構成にし、前面パネルと側板を略同一平面方向に展開した状態において前面パネルの厚さ方向でオリフィスが取り付いている側と反対方向に段差部を有したことを特徴とするものである。
【００１３】
上記の構成によって、オリフィスを作成するための金型のスライド部が側板と干渉することなくスライドできるのでオリフィスが配置された前面パネルと側板を一体して作成することが可能となり、大型の金型および大型の成形機が不要となり、また部品の保管場所を多くとる必要がなく、またオリフィスを前面パネルに組み立てる必要がないので組立工数を削減でき、また部品点数を削減できるので安価でリサイクル時の分別が不要な空気調和機の室外機が得られる。
【００１４】
また、本願の他の発明は、上記段差部の形状がＲ形状であることを特徴とするものである。
【００１５】
上記の構成によって、前面グリルをヒンジ部で略直角に折り曲げ室外機に組み込むと、室外機のコーナー部がＲ形状であるので人が当たっても安全であり、また意匠的にも良好な印象を与えられる空気調和機の室外機が得られる。
【００１６】
また、本願の他の発明は、上記段差部のオリフィス側に高さ方向の肉厚部の補強を有したことを特徴とするものである。
【００１７】
上記の構成によって、室外機に前面グリルを組み込むと、室外機のコーナー部に高さ方向の補強が配置されるので、室外機の高さ方向にかかる負荷に強く、また補強用の別部品が不要なので安価で高さ方向の負荷に強い空気調和機の室外機が得られる。
【００１８】
また、本願の他の発明は、前面パネルの上記段差部と反対側に高さ方向で肉厚部の補強を有したことを特徴とするものである。
【００１９】
上記の構成によって、室外機のコーナー部に高さ方向の補強が配置されるので、室外機の高さ方向にかかる負荷に強く、また補強用の別部品が不要なので安価で高さ方向の負荷に強い空気調和機の室外機が得られる。
【００２０】
また、本願の他の発明は、側板の上記段差部と反対側に高さ方向で肉厚部の補強を有したことを特徴とするものである。
【００２１】
上記の構成によって、室外機のコーナー部に高さ方向の補強が配置されるので、室外機の高さ方向にかかる負荷に強く、また補強用の別部品が不要なので安価で高さ方向の負荷に強い空気調和機の室外機が得られる。
【００２２】
また、本願の他の発明は、上記吹出口に格子部を一体化したことを特徴とするものである。
【００２３】
上記の構成によって、組立工数を削減でき、また部品点数を削減できるので安価な空気調和機の室外機が得られる。
【００２４】
また、本願の他の発明は、側板に持ち運び用の把手を一体化したことを特徴とするものである。
【００２５】
上記の構成によって、組立工数を削減でき、また部品点数を削減できるので安価な空気調和機の室外機が得られる。
【００２６】
また、本願の他の発明は、吹出口とオリフィスを有する前面パネルと隣接する少なくとも一方の側板を折り曲げ可能な高さ方向のヒンジ部を設けて樹脂で一体に構成し、前面パネルと側板を略同一平面方向に展開した状態において前面パネルの厚さ方向でオリフィスが取り付いている側と反対方向に段差部を有した前面グリルを樹脂成形する工程と、前記前面グリルをヒンジ部にて略直角に折り曲げを行い空気調和機に取り付けを行う工程を有することを特徴とするものである。
【００２７】
上記の構成によって、複数の部品を一体にしたので部品の加工工数を削減でき、また室外機へ組む工数も削減できるので安価な空気調和機の室外機が得られる。
【発明の効果】
【００２８】
本発明の空気調和機の室外機は、オリフィスが配置された前面パネルと側板を一体化した前面グリルのオリフィスが作成可能となるので、大型の金型および大型の成形機が不要となり、また、部品の保管場所が広く必要でなく、部品点数を削減および組み立て工数を削減できるので安価な空気調和機の室外機を得ることが可能である。また、段差部もしくは側板の段差部と反対側もしくは前面パネルの段差部と反対側に高さ方向の補強を設けることが可能となるので、高さ方向の負荷に強い空気調和機の室外機を得ることができ、また、段差部をＲ形状にすることにより人が当たっても安全であり、また、吹出口に格子と側板に把手も一体化することにより部品点数を削減および組み立て工数を削減でき安価な室外機を得ることが可能となり、また、複数の部品を一体にして樹脂成形工程後に組立を
行うので組立工数を削減できる空気調和機の室外機の製造方法を得ることができ、また、樹脂で一体にしたのでリサイクル時に分別する必要がない空気調和機の室外機を得ることができるという効果を奏する。
【発明を実施するための最良の形態】
【００２９】
第１の発明は、吹出口とオリフィスを有する前面パネルと隣接する少なくとも一方の側板を折り曲げ可能な高さ方向のヒンジ部を設けて樹脂で一体にした前面グリルの構成にし、前面パネルと側板を略同一平面方向に展開した状態において前面パネルの厚さ方向でオリフィスが取り付いている側と反対方向に段差部を有したことにより、オリフィスを作成するための金型のスライド部が側板と干渉することなくスライドできるので、オリフィスが配置された前面パネルと側板を一体化が可能となり大型の金型および大型の成形機が不要であり、部品の保管場所を多くとる必要がなく、また組立工数の削減、部品点数の削減ができるので安価でリサイクル時の分別が不要な空気調和機の室外機が得られる。
【００３０】
第２の発明は、特に、第１の発明の前面グリルの段差部の形状がＲ形状であることにより、前面グリルをヒンジ部で略直角に折り曲げ室外機に組み込むと、室外機のコーナー部がＲ形状となり、人が当たっても安全で意匠的にも良好な印象を与えられる空気調和機の室外機が得られる。
【００３１】
第３の発明は、特に、第１の発明の前面グリルの段差部のオリフィス側に高さ方向の肉厚部の補強を有したことにより、室外機に前面グリルを組み込むと、室外機のコーナー部に高さ方向の補強が配置されるので、室外機の高さ方向にかかる負荷に強く、また補強用の別部品が不要なので安価で高さ方向の負荷に強い空気調和機の室外機が得られる。
【００３２】
第４の発明は、特に、第１の発明の前面パネルの段差部と反対側に高さ方向で肉厚部の補強を有したことにより、室外機のコーナー部に高さ方向の補強が配置されるので、室外機の高さ方向にかかる負荷に強く、また補強用の別部品が不要なので安価で高さ方向の負荷に強い空気調和機の室外機が得られる。
【００３３】
第５の発明は、特に、第１の発明の側板の段差部と反対側に高さ方向で肉厚部の補強を有したことにより、室外機のコーナー部に高さ方向の補強が配置されるので、室外機の高さ方向にかかる負荷に強く、また補強用の別部品が不要なので安価で高さ方向の負荷に強い空気調和機の室外機が得られる。
【００３４】
第６の発明は、特に、第１の発明の吹出口に格子部を一体化したことにより、格子部品を組み立てが不要となり組立工数を削減でき、また部品点数を削減できるので安価な空気調和機の室外機が得られる。
【００３５】
第７の発明は、特に、第１の発明の側板に持ち運び用の把手を一体化したことにより、把手部品の組み立てが不要となり組立工数を削減でき、また部品点数を削減できるので安価な空気調和機の室外機が得られる
第８の発明は、吹出口とオリフィスを有する前面パネルと隣接する少なくとも一方の側板を折り曲げ可能な高さ方向のヒンジ部を設けて樹脂で一体に構成し、前面パネルと側板を略同一平面方向に展開した状態において前面パネルの厚さ方向でオリフィスが取り付いている側と反対方向に段差部を有した前面グリルを樹脂成形する工程と、前面グリルをヒンジ部にて略直角に折り曲げを行い空気調和機に取り付けを行う工程により、部品の加工工数を削減および室外機へ組む工数も削減できることとなり、安価な空気調和機の室外機が得られる。
【００３６】
以下、本発明の実施の形態について、図面を参照しながら説明する。なお、この実施の
形態によって本発明が限定されるものではない。
【００３７】
（実施の形態１）
図１から図６を用いて本願発明の係る第1の実施形態について説明する。図１は展開した前面グリルの説明を示すものであり、前面グリル１は前面パネル２と吹出口４の周囲に位置するオリフィス５および側板３がヒンジ７を介して一体化しており、前面パネル２と側板３の間ではオリフィス５とは反対の方向にＲ形状をした段差部６を有している。
【００３８】
また、吹出口４のオリフィス５とは反対側に格子１１が一体化しており、また、側板３の天板（図示せず）側には把手１２を一体化している。また、段差部６のオリフィス５側に高さ方向の第１の補強８を有し、前面パネル２の段差部６とは反対側に高さ方向の第２の補強９を有し、また、側板３の段差部６とは反対側に高さ方向の第３の補強１０を有する構成からなる。
【００３９】
図２は折り曲げた前面グリルの説明を示すものであり、前面グリル１をヒンジ７を基準に側板３を略直角に曲げた状態を示している。この状態にて空気調和機の室外機（図示せず）に取付けを行う。
【００４０】
図３は展開した前面グリル１の上面図であり、前面パネル２と側板３はヒンジ７と段差部６を介して一体化しており、ヒンジ７の側板３側に段差部６が位置し、また段差部６はオリフィス５と反対の方向に位置するので、側板３は前面パネル２の幅方向の面よりもオリフィス側にはみ出ることがない。
【００４１】
また、段差部６のオリフィス側に前面パネル２の幅方向の面よりはみ出さない第１の補強８を有し、前面パネル２の段差部６とは反対側に第２の補強９を有し、また、側板３の段差部６とは反対側に第３の補強１０を有する構成からなる。
【００４２】
図４は図３のＡ部の拡大を示すものであり、ヒンジ７は前面パネル２の厚さと段差部６の厚さよりも薄くなっているため図４（ａ）での前面グリル１の展開状態から図４（ｂ）への曲がった状態へヒンジ７を基準に曲げ易い形態となっている。また、段差部６のオリフィス側で前面パネル２の幅方向の面よりはみ出さない高さ方向の負荷に強い第１の補強８を設けており、段差部６をＲ形状にしており室外機に前面グリル１を折り曲げて組み込んだ時のコーナー部がＲ形状になるように設計をおこなっている。
【００４３】
図５は前面グリル１が展開した状態でオリフィス５部分を作成する樹脂成形金型の説明を示す部分断面図であり、図５（ａ）は射出、保圧、冷却後に金型が開いた状態で前面グリル１を突き出す前の樹脂成形金型の可動側１３のオリフィス５を作成する個所の部分断面図であり、スライド１４にてオリフィス５が作成されている。図５（ｂ）は前面グリル１を突き出した後の樹脂成形金型の可動側１３の部分断面図であり、スライド１４は前面グリル１を突き出しながらオリフィス５から幅方向に逃げる方向に移動するのでオリフィス５のアンダーカット部１５を作成することができるので、オリフィス５の形成が可能となる。
【００４４】
図６は図５の可動側金型のスライド１４の動作説明を示すものであり、図６（ａ）は前面グリル１を突き出す前の部分正面図でオリフィス５を形成するスライド１４は４分割されており、図６（ｂ）は前面グリル１を突き出した後の部分正面図でスライド１４は吹出口４の中心からの略放射状方向に分割移動することによりリフィス５を構成する。
【００４５】
上記のような空気調和機の室外機の構成にすることにより、段差部６によりオリフィス５を有した前面パネル２の幅方向の面より側板３がオリフィス側にはみ出さないようにヒ
ンジ７と段差部６を介して一体化した前面グリル１が可能となり、従って、前面グリル１が展開した状態での樹脂成形工程においてオリフィス５のアンダーカット部１５を形成するためのスライド１４が側板３側にスライドしていく時に干渉する部分がないので、前面グリル１の作成が可能となる。
【００４６】
よって、オリフィス５を有した前面パネル２と側板３がヒンジ７と段差部６を介して一体となり部品点数の削減と組み立て工数の削減ができるので安価な空気調和機の室外機が提供できる。また、オリフィス５が前面パネル２に一体に取り付いておりオリフィス５を組み立てる必要がないので、大型の金型および大型の成形機を必要とせず、部品の保管場所を広く必要としない空気調和機の室外機が提供できる。また、第１の補強８と第２の補強９、第３の補強１０を有しているので、高さ方向の負荷に強い空気調和機の室外機が提供でき、また補強用の別部品が不要なので安価な空気調和機の室外機が提供できる。
【００４７】
また、Ｒ形状を有した段差部６が室外機のコーナー部に配置されるので、人が当たっても安全で意匠的にも良好な印象を与えられる空気調和機の室外機が提供できる。また、吹出口４に格子１１を一体化し側板３に把手１２が一体化なり、部品点数の削減と組み立て工数を削減できるので安価な空気調和機の室外機が提供できる。また、前面パネル２とオリフィス５および側板３と格子１１および把手１２が一体化したのでリサイクル時の分別が不要な空気調和機の室外機が提供できる。
【００４８】
なお、上記側板３は送風機側であるが、圧縮機側の側板（図示せず）も同様の効果を得ることができ、また、第１の補強８、第２の補強９、第３の補強１０の断面形状を扇形にしたが、高さ方向の負荷に対応できる形状であれば同様の効果を得ることができる。
【００４９】
（実施の形態２）
図７は実施の形態２における空気調和機の室外機１６の製造方法を示すものであり、図７（ａ）は吹出口４とオリフィス５を有する前面パネル２と側板３を折り曲げ可能な高さ方向のヒンジ７を設けて樹脂で一体に構成し、前面パネル２と側板３を略同一平面方向に展開した状態において前面パネル２の厚さ方向でオリフィス５が取り付いている側と反対方向に段差部６を有した前面グリル１を射出成形工程をした後の斜視図であり、その後に図７（ｂ）は前面グリル１を折り曲げた工程後の斜視図を示し、その後に図７（ｃ）に示すように前面グリル１を室外機１６に組み込む工程を有する空気調和機の室外機１６の製造方法を示す。
【００５０】
上記のような空気調和機の室外機１６の製造方法にすることにより、複数の部品を一体にして樹脂成形工程後に折り曲げ後、室外機１６に組立を行うので組立工数を削減できる空気調和機の室外機１６の製造方法を提供できる。
【産業上の利用可能性】
【００５１】
以上のように、本発明にかかる空気調和機の室外機およびその製造方法は、オリフィス５と前面パネル２および側板３を一体に形成できるので部品点数の削減、組み立て工数の削減ができ、また、リサイクル時の分別の工数も削減が可能となるので、底板に対して固定されるオリフィスを有する前面パネルと側板が別部品であり天板とで外郭を構成される箱状の製品等の用途にも適用できる。
【図面の簡単な説明】
【００５２】
【図１】（ａ）本発明の実施の形態１における展開した前面グリルの格子側からの斜視説明図（ｂ）同、オリフィス側からの斜視説明図
【図２】（ａ）本発明の実施の形態１における折り曲げた前面グリルの格子側からの斜視説明図（ｂ）同、オリフィス側からの斜視説明図
【図３】本発明の実施の形態１における展開した前面グリルの上面図
【図４】（ａ）図３の前面グリルを展開した状態のＡ部拡大図（ｂ）同、前面グリルを折り曲げた状態のＡ部拡大図
【図５】（ａ）本発明の実施の形態１における前面グリルが展開した状態でのオリフィス部分を形成する樹脂成形金型の可動側金型の金型が開き製品を突き出す前の状態での部分断面図（ｂ）同、金型が開き製品を突き出した後の状態での部分断面図
【図６】（ａ）図５の可動側金型のスライドの前面グリルを突き出す前の部分正面図（ｂ）同、前面グリルを突き出した後の部分正面図
【図７】（ａ）本発明の実施の形態１における空気調和機の室外機の製造工程における成形工程後の前面グリルの斜視図（ｂ）同、折り曲げ後の前面グリルの斜視図（ｃ）同、室外機に組み込む工程の前面グリルの斜視図
【図８】従来の空気調和機の室外機の一部を省略して分解した斜視図
【図９】従来の空気調和機の室外機の前面グリルの斜視図
【図１０】従来の空気調和機の室外機の前面グリルの斜視図
【符号の説明】
【００５３】
１    前面グリル
２    前面パネル
３    側板
４    吹出口
５    オリフィス
６    段差部
７    ヒンジ
８    第１の補強
９    第２の補強
１０  第３の補強
１１  格子
１２  把手
１３  樹脂成形金型の可動側
１４  スライド
１５  アンダーカット部
１６  空気調和機の室外機
【図１】
2005195243.tif 000003
【図２】
2005195243.tif 000004
【図３】
2005195243.tif 000005
【図４】
2005195243.tif 000006
【図５】
2005195243.tif 000007
【図６】
2005195243.tif 000008
【図７】
2005195243.tif 000009
【図８】
2005195243.tif 000010
【図９】
2005195243.tif 000011
【図１０】
2005195243.tif 000012